(57)【要約】  取付対象に被取付物を簡単かつ容易に着脱することができるようにする。  取付対象に固定される基台と、被取付物に固定されていて前記基台に着脱自在に接合される装着体とを有しており、前記基台は、前記装着体と接合する接合面と、この接合面に前記装着体を磁着する磁石と、前記装着体と係合する係合部とを有し、前記装着体は、前記基台と接合する接合面と、この接合面に前記基台磁石に磁着される磁石と、前記基台の前記係合部と係脱自在に係合して前記基台からの離隔を規制する被係合部とを有している。
2016035712.tif 000002
【特許請求の範囲】
【請求項１】
取付対象に固定される基台と、被取付物に固定されていて前記基台に着脱自在に接合される装着体とを有しており、
前記基台は、前記装着体と接合する接合面と、この接合面に前記装着体を磁着する磁石と、前記装着体と係合する係合部とを有し、
前記装着体は、前記基台と接合する接合面と、この接合面に前記基台磁石に磁着される磁石と、前記基台の前記係合部と係脱自在に係合して前記基台からの離隔を規制する被係合部とを有していることを特徴とする連結具。
【請求項２】
前記基台の裏面には、前記取付対象に固定する固定部材を有し、前記装着体の表面には、前記被取付物に取り付ける取付具を有していることを特徴とする請求項１に記載の連結具。
【請求項３】
前記基台の前記磁石は表面磁極が異なる２個を有し、前記装着体の前記磁石は前記基台磁石に吸着誘導される２個を有していることを特徴とする請求項１又は２に記載の連結具。
【請求項４】
前記基台は、磁着時に前記装着体の左右方向の位置を誘導する左右側ガイド部と下方向の位置を誘導する下ガイド部とを形成したガイド部材を有することを特徴とする請求項１〜３のいずれか１項に記載の連結具。
【請求項５】
前記基台の前記係合部と前記装着体の前記被係合部とは、前記基台の前記接合面の下方と前記装着体の前記接合面の下方とに設けられており、一方は上下方向に突出した突起であり、他方は前記突起を上下方向に係脱自在に係合する穴及び穴壁部であることを特徴とする請求項１〜４のいずれか１項に記載の連結具。
【請求項６】
前記基台の前記係合部と前記装着体の前記被係合部とは、前記基台の前記接合面の上方と前記装着体の前記接合面の上方とに設けられており、一方は前記接合面から突出したフック部であり、他方は接合方向相対移動により前記フック部が出退可能な開口部及びこの開口部に突出していて前記フック部が係合する係止部であることを特徴とする請求項１〜５のいずれか１項に記載の連結具。
【請求項７】
前記基台には、前記係止部に係合した前記フック部の離脱方向の相対移動を規制するロック機構を設けていることを特徴とする請求項６に記載の連結具。
【請求項８】
前記装着体には前記フック部が形成され、前記基台には前記開口部と前記係止部とが形成されており、
前記ロック機構は、前記フック部に形成した係止穴と、前記基台に設けられていて、前記開口部に突出することにより前記係止穴に挿入されて前記フック部の離脱方向の相対移動を規制する係合ピンと、この係合ピンを突出方向に付勢するスプリングとを有することを特徴とする請求項７に記載の連結具。
【請求項９】
前記ロック機構は、前記基台に摺動自在に取り付けた操作ノブと、この操作ノブの摺動によって前記係合ピンを前記開口部から後退させる連動部材とを有することを特徴とする請求項８に記載の連結具。
【請求項１０】
前記基台には前記フック部が形成され、前記装着体には前記開口部と前記係止部とが形成されており、
前記ロック機構は、前記基台に設けられていて、前記係止部を挟んで前記フック部と対向することにより前記フック部の離脱方向の相対移動を規制する作動体と、この作動体を前記フック部と対向する位置に付勢するスプリングと、このスプリングに抗して前記作動体を前記フック部と対向する位置から後退させる操作ノブとを有することを特徴とする請求項７に記載の連結具。
【請求項１１】
前記取付具は、前記装着体に回動可能に設けられかつ被取付物に螺合可能な雄ねじ部、または前記装着体の表面に設けられかつ被取付物を挟持可能な可動爪を有することを特徴とする請求項２に記載の連結具。
【発明の詳細な説明】
【技術分野】
【０００１】
本発明は、取付対象に被取付物を連結するための連結具に関するものである。
【背景技術】
【０００２】
取付対象に被取付物を連結するために用いられる連結具として、例えば、カメラの分野においては、下記特許文献１に開示されるようなスリングに用いられるものがある。特許文献１のスリングは、カメラのユーザーが両手をフリーな状態にしてカメラを携帯できるようにするためのもので、環状の肩掛けベルトと、肩掛けベルトに取り付けられた連結具とを備える。連結具は分離可能構造でない一体物であり、ユーザーの身体に斜め掛けされる肩掛けベルトとカメラとを連結するために用いられる。連結具は雄ねじ部を有しており、この雄ねじ部をカメラの雌ねじ部にねじ込むことで、カメラが連結具に固定される。
【先行技術文献】
【特許文献】
【０００３】
【特許文献１】米国特許公報第８０４７７２９号公報
【発明の概要】
【発明が解決しようとする課題】
【０００４】
特許文献１のスリングの連結具では、分離可能構造でないため、取付対象としての肩掛けベルトに被取付物としてのカメラを着脱する際に困難な場合がある。すなわち、肩掛けベルトとカメラとを連結する際には、連結具の雄ねじ部をカメラの雌ねじ部に対して正確に位置決めして雄ねじ部を雌ねじ部にねじ込まなければならない。その作業は、暗いなど、視野の限られた場所や、狭いあるいは足元が悪いなど、動作が不安定になる場所等において、困難な場合がある。【０００５】
本発明は、上述した問題に鑑みてなされたものであり、取付対象に被取付物を容易に着脱することができる連結具を提供することを目的とする。
本発明は、取付対象に装着した基台に、被取付物に取り付けられた装着体を磁石により簡単かつ容易に磁着して、取付対象に被取付物を簡単かつ容易に着脱することができる連結具を提供することを目的とする。
【課題を解決するための手段】
【０００６】
本発明における課題解決のための具体的手段は、次の通りである。
第１に、取付対象に固定される基台と、被取付物に固定されていて基台に着脱自在に接合される装着体とを有しており、基台は、装着体と接合する接合面と、この接合面に装着体を磁着する磁石と、装着体と係合する係合部とを有し、装着体は、基台と接合する接合面と、この接合面に基台磁石に磁着される磁石と、基台の係合部と係脱自在に係合して基台からの離隔を規制する被係合部とを有していることを特徴とする。【０００７】
この構成によって、磁石を介して基台に装着体を着脱すると、取付対象に被取付物を簡単かつ容易に着脱可能になる。
第２に、基台の裏面には、取付対象に固定する固定部材を有し、装着体の表面には、被取付物に取り付ける取付具を有していることを特徴とする。
この構成によって、基台の取付対象への装着、装着体への被取付物の取り付けが容易になる。【０００８】
第３に、基台の磁石は表面磁極が異なる２個を有し、装着体の磁石は基台磁石に吸着誘導される２個を有していることを特徴とする。
この構成によって、基台への装着体の位置合わせが容易になる。
第４に、基台は、磁着時に装着体の左右方向の位置を誘導する左右側ガイド部と下方向の位置を誘導する下ガイド部とを形成したガイド部材を有することを特徴とする。【０００９】
この構成によって、装着体を基台に対して適正位置に接合可能になる。
第５に、基台の係合部と装着体の被係合部とは、基台の接合面の下方と装着体の接合面の下方とに設けられており、一方は上下方向に突出した突起であり、他方は突起を上下方向に係脱自在に係合する穴及び穴壁部であることを特徴とする。
この構成によって、基台から装着体の下部が不本意に離隔するのを規制できる。【００１０】
第６に、基台の係合部と装着体の被係合部とは、基台の接合面の上方と装着体の接合面の上方とに設けられており、一方は接合面から突出したフック部であり、他方は接合方向相対移動によりフック部が出退可能な開口部及びこの開口部に突出していてフック部が係合する係止部であることを特徴とする。
この構成によって、基台から装着体の上部が不本意に離隔するのを規制できる。【００１１】
第７に、基台には、係止部に係合したフック部の離脱方向の相対移動を規制するロック機構を設けていることを特徴とする。
この構成によって、装着体の不本意な離隔を規制し、基台と装着体との連結を確実に維持できる。
第８に、装着体にはフック部が形成され、基台には開口部と係止部とが形成されており、ロック機構は、フック部に形成した係止穴と、基台に設けられていて、開口部に突出することにより係止穴に挿入されてフック部の離脱方向の相対移動を規制する係合ピンと、この係合ピンを突出方向に付勢するスプリングとを有することを特徴とする。【００１２】
この構成によって、ロック機構を簡単かつ容易に構成できる。
第９に、ロック機構は、基台に摺動自在に取り付けた操作ノブと、この操作ノブの摺動によって係合ピンを開口部から後退させる連動部材とを有することを特徴とする。
この構成によって、係合ピンの係脱操作を操作ノブの摺動操作で行うことが可能になる。【００１３】
第１０に、基台にはフック部が形成され、装着体には開口部と係止部とが形成されており、ロック機構は、基台に設けられていて、係止部を挟んでフック部と対向することによりフック部の離脱方向の相対移動を規制する作動体と、この作動体をフック部と対向する位置に付勢するスプリングと、このスプリングに抗して作動体をフック部と対向する位置から後退させる操作ノブとを有することを特徴とする。【００１４】
この構成によって、操作ノブの摺動でフック部の離脱方向の相対移動を規制及び解除する機構を簡単かつ容易に構成でき、かつ装着体の接合面側を突起のない平坦面に形成できる。
第１１に、取付具は、装着体に回動可能に設けられかつ被取付物に螺合可能な雄ねじ部、または装着体の表面に設けられかつ被取付物を挟持可能な可動爪を有することを特徴とする。【００１５】
この構成によって、被取付物への装着体の着脱を容易にできる。
【発明の効果】
【００１６】
本発明によれば、取付対象に装着した基台に、被取付物に取り付けた装着体を磁石により簡単かつ容易に磁着して、取付対象に被取付物を簡単かつ容易に着脱できる。
【図面の簡単な説明】
【００１７】
【図１】本発明の第１実施形態の基台と装着体を接合した連結具の斜視図である。
【図２】図１の連結具の縦断面図である。
【図３】基台と装着体を分離した状態の断面図である。
【図４】連結具の使用例を示す斜視図である。
【図５】基台と装着体を分離した状態の表側斜視図である。
【図６】基台と装着体を分離した状態の裏側斜視図である。
【図７】本発明の第２実施形態の基台と装着体を接合した連結具の斜視図である。
【図８】図７の連結具の縦断面図である。
【図９】基台と装着体を分離した状態の断面図である。
【図１０】基台と装着体を分離した状態の表側斜視図である。
【図１１】基台と装着体を分離した状態の裏側斜視図である。
【図１２】本発明の第３実施形態の基台と装着体を接合した連結具の斜視図である。
【図１３】図１２の連結具の裏側斜視図である。
【図１４】図１２のＸＩＶ−ＸＩＶ線断面図である。
【図１５】図１４のＸＶ−ＸＶ線断面図である。
【図１６】本発明の第４実施形態の基台と装着体を接合した連結具の斜視図である。
【図１７】図１６のＸＶＩＩ−ＸＶＩＩ線断面図である。
【図１８】基台と装着体を分離した状態の表側斜視図である。
【図１９】基台と装着体を分離した状態の裏側斜視図である。
【図２０】ロック機構の表側斜視図である。
【図２１】ロック機構の裏側斜視図である。
【発明を実施するための形態】
【００１８】
以下、本発明の実施の形態を図面に基づいて説明する。
［第１実施形態］
図１〜６は本発明の第１実施形態を示しており、連結具１は、大別して取付対象ＳＬに装着する基台１０と、被取付物ＣＡに取り付けられていて前記基台１０の接合面１０ａに着脱自在に連結される装着体２０とを有しており、それぞれ金属、軽金属又は樹脂等で形成されている。
【００１９】
前記基台１０と装着体２０とには、基台１０に対して装着体２０を磁着する磁石５０、６０と、基台１０に対して装着体２０の磁着位置を誘導する誘導機構６と、磁着状態の装着体２０が基台１０から離隔するのを規制する規制機構７（７Ｄ、７Ｕ）とが設けられている。
取付対象ＳＬは、カメラのユーザーが両手をフリーにした状態で被取付物（カメラ）ＣＡを携帯するために用いられるスリング、ベルト等であり、図４では、肩掛けベルトＳＬ及び胸装着ベルトＳＬにカメラＣＡを分離可能に連結している。
【００２０】
なお、連結具１は被取付物ＣＡ装着側を表面側とし、胸装着ベルトＳＬ携帯状態を表面（正面）側から見て上下及び左右と規定する。図１〜３、５、６の矢印Ａが装着方向を表す。
前記基台１０は連結具１のベースとなる第１の連結部材であり、本体１１０と、この本体１１０の表面側を塞ぐガイド部材１１２と、本体１１０の裏面にヒンジ部１２６を有して開閉可能になった固定部材１２０とを有している。
【００２１】
前記固定部材１２０は固定板１２２と可動板１２４とをヒンジ部１２６で連結しており、固定板１２２と可動板１２４とで取付対象ＳＬを挟むことにより、基台１０を取付対象ＳＬに装着する。
前記固定板１２２は本体１１０の裏面にビス１４０を介して固定され、背面に突出する複数本のリブ１２２ｂを有し、下部は本体１１０より下方に長く突出し、一対の貫通穴１２２ａが形成されている。
【００２２】
前記可動板１２４はスリット状の切欠部１２４ａにより逆Ｕ字形状になっており、切欠部１２４ａは、取付対象ＳＬの縫合部があればそれを受け入れることができる。可動板１２４の左右下部には一対のねじ穴１２４ｂが形成され、貫通穴１２２ａから挿入した固定ねじ１３０の雄ねじ部１３０ａを螺合して、可動板１２４を固定板１２２に固定する。
前記本体１１０は左右方向に長い２個の板状磁石５０及び板状バックヨーク８０を上下２段に配置している。この２個の磁石５０は磁力線が表裏方向に磁化されている。
【００２３】
ガイド部材１１２は、摺動性及び耐磨耗性が良好な材料（例えば、エンジニアプラスチック）によって形成され、その表面が接合面１０ａとなっており、その表面の周囲に装着体２０側へ突出するように、平行に延びる左右一対の側ガイド部１１２ａと、側ガイド部１１２ａの下端を繋ぐ下ガイド部１１２ｂとが形成されている。
側ガイド部１１２ａは装着体２０を接合（図２、３、５に矢印Ｃ方向で示す。）するときに左右方向位置を誘導し、下ガイド部１１２ｂは装着体２０を接合するときに下位置を設定するものであり、基台１０に対して装着体２０の磁着位置を誘導する誘導機構６を構成している。
【００２４】
前記ガイド部材１１２の下ガイド部１１２ｂには上下に貫通する貫通穴１１２ｃが穿孔され、この貫通穴１１２ｃの装着体２０側の壁が穴壁部１１２ｄとなっており、装着体２０の下部に形成した突起２１２とともに下側の規制機構７Ｄを構成している。下側規制機構７Ｄは、貫通穴１１２ｃ及び穴壁部１１２ｄを係合部とすると、それらに係合する突起２１２が被係合部となる。
【００２５】
この本体１１０の上部には、開口部３１０と、この開口部３１０の下縁から上向き突出した係止部３１１とが形成され、装着体２０の上部に形成したフック部３２０とともに上側の規制機構７Ｕを構成している。上側規制機構７Ｕは、開口部３１０及び係止部３１１を係合部とすると、それらに係合するフック部３２０が被係合部となる。
前記基台１０の上部は、開口部３１０の左右両側が本体１１０とガイド部材１１２とが合体して構成されており、開口部３１０の左右一方（右側）の本体１１０内にはロック機構３３０が設けられている。
【００２６】
ロック機構３３０は、開口部３１０へ出退自在な係合ピン３３２と、この係合ピン３３２を突出方向に付勢するスプリング３３８と、係合ピン３３２の基部に連結されていて係合ピン３３２の引き抜き操作をする操作部３３６と、本体１１０とガイド部材１１２の右上端に形成されていて引き抜き操作した操作部３３６の戻りを規制する支持部３３４とを有している。
【００２７】
係合ピン３３２は、本体１１０の上端部において、突出方向（図５に矢印Ｂ方向で示す。）に摺動可能に且つ軸線周りに回動可能に支持されており、その先端が開口部３１０に挿入される装着体２０のフック部３２０の係止穴３２２に係合する。
図５に示すように、リングで形成された操作部３３６は、垂直にした状態で一対の支持部３３４の間に入り込み、係合ピン３３２の先端は開口部３１０内に突出し、スプリング３３８に抗して操作部３３６を引っ張ると、係合ピン３３２の先端は基台１０内に没入する。操作部３３６を引っ張った状態で垂直姿勢から水平姿勢に回動すると、支持部３３４の係止溝３３４ａに係合可能になり、操作部３３６を係止溝３３４ａに係合すると戻り動作が規制され、係合ピン３３２の没入が維持され、ロック解除状態になる。
【００２８】
図６において、装着体２０のフック部３２０は先細り形状になっていて、左右側面、少なくとも係合ピン３３２に面する側面は先端へいくに従って係合ピン３３２から離れる傾斜面３２４となっており、このフック部３２０が開口部３１０に挿入していくと、傾斜面３２４が開口部３１０内に進出している係合ピン３３２と当接して、この係合ピン３３２をスプリング３３８に抗して押動する。フック部３２０の係止穴３２２が係合ピン３３２に対向することにより、スプリング３３８の弾発によって係合ピン３３２が係止穴３２２に入り、フック部３２０が係止部３１１に係合した状態を分離不能（ロック）にする。
【００２９】
前記装着体２０は連結具１の着脱側となる第２の連結部材であり、基台１０に対面する装着本体２１０と、被取付物ＣＡを取り付ける取付具２３０と、この取付具２３０を装着本体２１０に保持する保持部材２７０とを有している。
装着本体２１０は内部に基台１０の磁石５０と吸引磁着する板形状の磁石６０及びバックヨーク９０を配置し、蓋板２１１で覆っており、この蓋板２１１の表面が基台１０と接合する接合面２０ａとなっている。前記磁石６０は２個の磁石５０に跨る大きさであり、磁力線は板厚方向に向けられている。
【００３０】
前記磁石６０を１個の大きい磁石で形成する場合、その表面磁極（接合面２０ａ側磁極で、例えば、Ｎ極）は２個の基台磁石５０の表面磁極（接合面１０ａ側磁極で、例えば、Ｓ極）と異極とする。前記装着体磁石６０は基台磁石５０と同様に、上下２個の磁石で形成することができ、その場合は、基台磁石５０を上下にＮ・Ｓ極を配置し、装着体磁石６０を上下にＳ・Ｎ極を配置する。
【００３１】
前記基台１０の磁石５０と装着体２０の磁石６０の磁着位置は一定であり、互いにずれた状態から磁着するときには、ずれを修正するように引っ張りあい、磁力線が最短になる位置で基台１０と装着体２０とは連結される。従って、磁石５０、６０が装着体２０を磁着位置に誘導する誘導機構６となっている。
前記磁石５０、６０による誘導機構６は、基台１０に装着体２０を磁着するときに、突起２１２を貫通穴１１２ｃに挿入し、かつフック部３２０を開口部３１０に挿入して係止部３１１と係合させる誘導作用もする。バックヨーク９０は磁石６０の被取付物ＣＡ側への磁気をシールドして、カメラや電子機器に磁気の悪影響を与えるのを抑制する。
【００３２】
前記装着本体２１０は、下端の左右方向中央に下方（図１〜３、５、６矢印Ａ方向）に突出した突起２１２が形成されており、基台１０の貫通穴１１２ｃに上側から挿入することにより、穴壁部１１２ｄによって基台１０から離隔する方向の移動が規制（下側規制機構７Ｄ）されるように構成されている。
前記装着本体２１０は、上部の左右方向中央に裏側（図２、３、５に矢印Ｃ方向で示す。）へ突出した先細り状のフック部３２０が形成されており、フック部３２０は左右側面が前記傾斜面３２４になっており、このフック部３２０を基台１０に近づけながら開口部３１０に挿入し、さらに開口部３１０内で下方へ移動することにより開口部３１０の下縁から上向き突出した係止部３１１と係合する。フック部３２０は係止部３１１と係合することにより、装着体２０の上部が基台１０から離隔移動するのが規制（上側規制機構７Ｕ）される。
【００３３】
取付具２３０は、円盤状の回転操作部２３１と、その中心部から突出する雄ねじ部２３３とを有する。雄ねじ部２３３は、保持部材２７０を貫通して表面側に突出し、被取付物（カメラ等）ＣＡの背面又は下面に形成されたねじ穴に螺合可能になっており、被取付物ＣＡを装着体２０に取り付け可能に構成している。
保持部材２７０は背面の上下に厚肉状のスペーサ部２５０を有し、この上下スペーサ部２５０の位置で装着本体２１０の表面側にビス２９４を介して固定され、上下スペーサ部２５０の間に取付具２３０の回転操作部２３１を配置する空間を形成している。なお、前記保持部材２７０はスペーサ部２５０を別個の部材で形成してもよい。
【００３４】
保持部材２７０の上下中央部の左右幅は回転操作部２３１の直径より狭くなっていて、回転操作部２３１の外周を露出しており、これにより回転操作部２３１を人手で回転できるようになっている。
前記連結具１の使用方法を説明する。
図３、５、６に示す基台１０・装着体２０の分離状態で、基台１０の固定部材１２０で取付対象ＳＬを挟んで、基台１０を取付対象ＳＬに装着し、装着体２０の取付具２３０を被取付物ＣＡに取り付ける。
【００３５】
被取付物ＣＡを取り付けた装着体２０を基台１０に前上方から近づけ、装着体２０の下部の突起２１２を基台１０の接合面１０ａに宛がいながら下方へ滑らし、装着体２０の上部を基台１０の接合面１０ａに近づけていく。このとき、装着体２０の左右側部は基台１０の側ガイド部１１２ａに当接することによって左右方向が誘導され、接合面１０ａ、２０ａが左右方向適正位置に位置合わせされる。
【００３６】
この状態で装着体２０をさらに基台１０に近づけながら下方（図１〜３、５、６に矢印Ａ方向で示す。）へ移動していくと、装着体２０の下部の突起（被係合部）２１２が基台１０の貫通穴（係合部）１１２ｃに挿入され、装着体２０の下面が下ガイド部１１２ｂに当接することによって下方向の位置が設定され、これと同時に装着体２０のフック部（被係合部）３２０が基台１０の開口部３１０に挿入されかつ係止部（係合部）３１１と係合する。
【００３７】
装着体２０を基台１０に近づけていく途中から両者の磁石５０、６０が吸引し合い、装着体２０を基台１０に磁着させると同時に磁石６０が磁石５０に対して磁力線が最短になる位置へ誘導され、両接合面１０ａ、２０ａが接合され、装着体２０は適正位置で基台１０に連結される。
前記連結状態で、装着体２０は下部が突起２１２と穴壁部１１２ｄの係合によって、上部がフック部３２０と係止部３１１との係合によって、それぞれ基台１０から離れる方向の移動が規制され、上下規制機構７Ｄ、７Ｕが作用状態になる。
【００３８】
またロック機構３３０を設けていると、装着体２０のフック部３２０が基台１０の開口部３１０に挿入されてくると、フック部３２０の側面の傾斜面３２４が係合ピン３３２を開口部３１０から後退させながら係止部３１１に係合し、係止部３１１に係合したとき、フック部３２０の傾斜面３２４に形成した係止穴３２２に後退していた係合ピン３３２が侵入し、装着体２０が基台１０に対して上方向へ移動するのを阻止し、ロック機構３３０が作用状態になる。
【００３９】
ロック機構３３０を作用させないとき、及び装着体２０を基台１０から離脱させるときは、ロック機構３３０の係合ピン３３２を操作部３３６を介して引っ張って、フック部３２０と係合しない没入位置へ移動させ、操作部３３６を支持部３３４の係止溝３３４ａに係止させておく。
ロック機構３３０の解除状態で、装着体２０を基台１０から上方へ移動すると、装着体２０は突起２１２が穴壁部１１２ｄから離脱し、フック部３２０が係止部３１１から離脱する。その状態で装着体２０の上部を基台１０から離すと、磁石５０、６０による吸引力も弱まり、装着体２０付きの被取付物ＣＡを取付対象ＳＬから分離できる。
［第２実施形態］
図７〜１１は本発明の第２実施形態を示しており、連結具２は、取り付け用のねじ穴をもたない被取付物ＣＡ、例えば小銃等を携帯可能にするものであり、第１実施形態と同様に、取付対象ＳＬに装着する基台１０と、被取付物ＣＡに取り付けられていて前記基台１０の接合面１０ａに着脱自在に連結される装着体２０と、ロック機構３３０とを有する。
【００４０】
前記基台１０は本体１１０と、この本体１１０の表面側を塞ぐガイド部材１１２と、本体１１０の裏面に被取付物ＣＡを取り付ける固定部材１２０とを有しており、本体１１０の下部はガイド部材１１２の下端から下方に突出している。
前記固定部材１２０は、本体１１０の裏面を利用していて、本体１１０の裏面にビス１４２を介して上部が固着された押さえ板１２８と、この押さえ板１２８の下部を本体１１０の下部に固定する締結用部材１２９とを有する。押さえ板１２８は切欠部１２８ａのある逆Ｕ字状に形成され、本体１１０の裏面との間に取付対象ＳＬを挿入するスリット１２８ｂを形成しており、締結用部材１２９は押さえ板１２８の２本の脚部分と重合する長さを有し、その中央にねじ穴１２９ａが形成されている。
【００４１】
本体１１０の下部に挿通穴１１４が穿孔されていて、この挿通穴１１４に固定ねじ１３０の雄ねじ部１３０ａを挿入し、固定ねじ１３０の押圧部１３０ｂを本体１１０に当接しながら雄ねじ部１３０ａを押さえ板１２８のねじ穴１２９ａに螺合することにより、被取付物ＣＡを挟んだ状態で押さえ板１２８を固定できる。
前記本体１１０は板状磁石５０及び板状バックヨーク８０を収容している。この磁石５０は上下方向に長い２個を左右に並列している。磁石５０は１枚の大きい板形状の磁石にしてもよい。
【００４２】
本体１１０は接合面１０ａの下方部分に下ガイド部１１２ｂが形成され、この下ガイド部１１２ｂに貫通穴１１２ｃとこの貫通穴１１２ｃの周囲の穴壁部１１２ｄとが形成され、装着体２０の下部の突起２１２とともに下側規制機構７Ｄを構成している。
ガイド部材１１２は、その表面が接合面１０ａとなっており、その左右側部に一対の側ガイド部１１２ａが形成され、この左右側ガイド部１１２ａの下端は前記本体１１０に形成されている下ガイド部１１２ｂの左右両端と連続するように配置されている。
【００４３】
左右側ガイド部１１２ａは装着体２０を接合（図７、８、１０に矢印Ｃ方向で示す。）するときに左右方向位置を誘導し、下ガイド部１１２ｂは装着体２０を下向き移動（図７、８、１０に矢印Ａ方向で示す。）して接合するときに下位置を設定するものであり、基台１０に対して装着体２０の磁着位置を誘導する誘導機構６を構成している。前記基台１０の磁石５０と装着体２０の磁石６０も装着体２０を磁着位置に誘導する誘導機構６になっている。
【００４４】
この本体１１０の上部は、前記第１実施形態と同様に、開口部３１０と、この開口部３１０の下縁から上向き突出した係止部３１１とが形成され、装着体２０の上部に形成したフック部３２０とともに上側の規制機構７Ｕを構成しており、開口部３１０の左右一方（右側）の本体１１０内にロック機構３３０が設けられている。
前記装着体２０は、基台１０に対面する装着本体２１０と、被取付物ＣＡを取り付ける取付具２３０とを有している。装着本体２１０は内部に基台１０の磁石５０と吸引磁着する板形状の磁石６０及びバックヨーク９０を配置し、蓋板２１１で覆っており、この蓋板２１１の表面が基台１０と接合する接合面２０ａとなっている。前記磁石６０は２個の磁石５０より表面積が小さくかつ上下方向の中心が上側に偏位しており、磁力線は板厚方向に向けられており、その表面磁極は２個の磁石５０の表面磁極と反対になっている。
【００４５】
左右２個の磁石５０の表面磁極をＮ・Ｓとし、左右２個の磁石６０の表面磁極をＳ・Ｎとすると、２個の磁石５０に２個の磁石６０に近づけていくとき、異極同士は吸引力が作用し、同局同士は反発力が作用し、互いに正対面位置に正確に磁着する。
前記取付具２３０は、装着本体２１０にねじ止めされた上下一対の固定爪２３２と、各固定爪２３２に対して遠近移動可能な可動爪２３４と、この可動爪２３４を固定爪２３２に対して遠近移動させるボルト２３６とを有する。
【００４６】
固定爪２３２と可動爪２３４とは表面側が爪形状であり、両者で小銃等の被取付物ＣＡの一部を着脱自在に挟持するクランプとなっている。
前記装着本体２１０は、下端に下方突出した突起２１２が形成され、上部の左右方向中央に裏側へ突出した先細り状のフック部３２０が形成されている。
前記連結具２は、磁石５０と磁石６０との吸引により、装着本体２１０の突起２１２が基台１０の貫通穴１１２ｃの表面側の穴壁部１１２ｄに係合し、装着本体２１０のフック部３２が基台１０の開口部３１０に入って係止部３１１に係合して、基台１０と装着体２０とが接合して正規の連結状態になる。
【００４７】
基台１０の磁石５０と装着体２０の磁石６０とは、図８に示すように、磁石６０が磁石５０より中心が上側に偏位しており、磁石５０と磁石６０とが吸引するときその磁力線が最短になるように作用するので、装着体２０は下向きに吸引され、装着体２０が穴壁部１１２ｄの手前で停止するのを抑制するとともに、突起２１２が貫通穴１１２ｃに侵入して穴壁部１１２ｄに当接する位置へ装着体２０を付勢することができる。
［第３実施形態］
図１２〜１５は本発明の第３実施形態を示しており、連結具３は、小銃等の取り付け用の雌ねじをもたない被取付物ＣＡを取付角度変更可能に携帯するものであり、第２実施形態と同様に、取付対象ＳＬに装着する基台１０と、被取付物ＣＡに取り付けられていて前記基台１０の接合面１０ａに着脱自在に連結される装着体２０と、ロック機構３３０とを有している。
【００４８】
前記基台１０は本体１１０と、この本体１１０の表面側を塞ぐガイド部材１１２と、本体１１０の裏面に被取付物ＣＡを取り付ける固定部材１２０とを有しており、本体１１０とガイド部材１１２とは上下方向の寸法が略同じになっている。
前記固定部材１２０は、本体１１０の裏面に固定の受け板１２７と、この受け板１２７の裏面にビスを介して上部が固着された押さえ板１２８と、この押さえ板１２８の下部を受け板１２７の下部に固定する締結用部材１２９とを有する。
【００４９】
受け板１２７及び押さえ板１２８は基台１０から下方へ大きく突出する長さに形成されており、両者は上部でビス結合されるとともに、上部ビス１５０を中心に基台１０に角度変更可能に取り付けられている。
押さえ板１２８は切欠部１２８ａのある逆Ｕ字状に形成され、本体１１０の裏面との間に取付対象ＳＬを挿入するスリット１２８ｂを形成しており、締結用部材１２９は押さえ板１２８の２本の脚部分と重合する長さを有し、その中央にねじ穴１２９ａが形成されている。
【００５０】
受け板１２７は下部に上下方向の長穴１３１が形成されていて、この長穴１３１に固定ねじ１３０の雄ねじ部１３０ａを挿入し、固定ねじ１３０の押圧部１３０ｂを受け板１２７に当接しながら雄ねじ部１３０ａを押さえ板１２８のねじ穴１２９ａに螺合することにより、被取付物ＣＡを挟んだ状態で押さえ板１２８を受け板１２７に固定できる。固定ねじ１３０及び締結用部材１２９は長穴１３１の長さの範囲内で上下位置調整ができ、広幅の被取付物ＣＡを挟持できる。
【００５１】
押さえ板１２８の下部には左右一対の位置決め用突起１３２が形成され、受け板１２７には突起１３２に対向して係合孔１３３が形成され、突起１３２が係合孔１３３に係合することにより、挟持時に受け板１２７と押さえ板１２８の位置決めができる。
前記受け板１２７は上部ビス１５０から離れた位置で固定ビス１６０によって基台１０に取り付けられる。基台１０の背面には複数の雌ねじ孔１３４が上部ビス１５０を中心に円弧配列されている。
【００５２】
前記固定ビス１６０は押さえ板１２８の切欠部１２８ａから挿入して受け板１２７を貫通していずれかの雌ねじ孔１３４に螺合される。雌ねじ孔１３４は基台１０の上部ビス１５０を通る左右方向の中心線上の位置と、その中心線から左右に角度α（図１３に示す。）傾斜した位置、例えば左右に２２．５°、４５°傾斜した位置に形成されており、固定部材１２０を基台１０に対して角度変更、即ち、基台１０を取付対象ＳＬに固定の固定部材１２０に対して角度変更し、被取付物ＣＡを携帯姿勢変更可能にしている。
【００５３】
前記基台１０の上部には、ロック機構３３０の係合ピン３３２を兼用する第２のロック機構５００が設けられている。この第２のロック機構５００は単独でもロック・解除操作可能であるが、第１のロック機構３３０の解除補助に使用されている。
図１４、１５において、本体１１０の側面（ロック機構３３０配置側と反対側）に側ガイド部５０１が形成され、操作ノブ５１０が上下摺動自在に係合され、この操作ノブ５１０と第１のロック機構３３０の係合ピン３３２との間にＬ字形状の連動部材５２０が設けられている。
【００５４】
連動部材５２０の一片は垂直部５２４で、係合ピン３３２の中間部のフランジ３３２ａより先端側で係合ピン３３２と係合していて、係合ピン３３２の突出動作で押動可能になっており、他片は開口部３１０の下方に位置する水平部５２２で、その先端は操作ノブ５１０の内部まで延設されている。
操作ノブ５１０は、側ガイド部５０１に対向する側に下部から上部にいくに従って本体１１０に近づく傾斜カム面５１２を形成しており、この傾斜カム面５１２の上端には上端凹部５１２ａが形成され、下端には下端凹部５１２ｂが形成されている。連動部材５２０の水平部５２２の先端は傾斜カム面５１２と摺動可能に当接し、上端凹部５１２ａ及び下端凹部５１２ｂに係合可能になっている。
【００５５】
操作ノブ５１０の上部と側ガイド部５０１の上部とには、操作ノブ５１０を上部の非操作位置に保持するための保持手段５３０が設けられている。保持手段５３０は本体１１０に取り付けられた磁石５３２と側ガイド部５０１に取り付けられた吸着板５３４とを備えている。
図１４、１５において、前記第１のロック機構３３０がロック作用状態であるとき、第２のロック機構５００は操作ノブ５１０が保持手段５３０により側ガイド部５０１の上部に位置しており、この状態で操作部３３６を引っ張って、係合ピン３３２をフック部３２０から後退させることができ、そのとき連動部材５２０は自由になるが、操作ノブ５１０は保持手段５３０によって不動となっている。
【００５６】
前記ロック作用状態のときに、操作ノブ５１０を保持手段５３０に抗して側ガイド部５０１の下方へ摺動すると、連動部材５２０の水平部５２２の先端が当接している傾斜カム面５１２が、側ガイド部５０１から離れた部位から近づいた部位に変化するので、連動部材５２０の水平部５２２は傾斜カム面５１２によって押動され、垂直部５２４が係合ピン３３２を後退移動させ、ロック解除状態にする。
【００５７】
垂直部５２４で係合ピン３３２を後退移動させた状態で、傾斜カム面５１２の上側の上端凹部５１２ａを水平部５２２の先端に係合させると、上端凹部５１２ａが移動抵抗となって、操作ノブ５１０は小さな力で上動できなくなり、連動部材５２０をロック解除位置に維持し、第１のロック機構３３０の操作部３３６を支持部３３４の係止溝３３４ａに係止させた状態と同じ、ロック解除維持状態（図１４仮想線で示す。）にできる。
【００５８】
前記ロック解除維持状態から上端凹部５１２ａの移動抵抗に抗して操作ノブ５１０を大きな力で上動すると、第２のロック機構５００はロック作用状態となる。
前記第２のロック機構５００の操作ノブ５１０は、基台１０を挟んで、第１のロック機構３３０の操作部３３６と左右反対側に配置されており、操作部３３６を操作する左手が使いにくい状況（例えば左手を負傷した場合）においても、右手で操作ノブ５１０を操作することにより、ロック機構３３０のロック・ロック解除をワンタッチで行うことができる。したがって、被取付物ＣＡが小銃である場合に取付対象（スリング）ＳＬから取り外して戦闘態勢に移行することができる。
【００５９】
なお、前記第２のロック機構５００は操作部３３６を割愛するとにより、第１のロック機構３３０を備えない単独のロック機構となる。
［第４実施形態］
図１６〜２１は本発明の第４実施形態を示しており、連結具４は、カメラ等の取り付け用の雌ねじをもつ被取付物ＣＡを携帯するものであり、取付対象ＳＬに装着する基台１０と、被取付物ＣＡに取り付けられていて前記基台１０の接合面１０ａに着脱自在に連結される装着体２０と、ロック機構６００とを有している。
【００６０】
前記基台１０は本体１１０と、ガイド部材１１２と、固定部材１２０とを有しており、本体１１０の下部１１０ａはガイド部材１１２の下端から下方に大きく突出している。
前記固定部材１２０は、本体１１０の裏面を利用していて、本体１１０の裏面に上部が固着された押さえ板１２８と、押さえ板１２８の下部を本体１１０の下部１１０ａに固定する締結用部材１２９とを有する。
【００６１】
押さえ板１２８は切欠部１２８ａを有し、本体１１０の裏面との間に取付対象ＳＬを挿入するスリット１２８ｂを形成しており、締結用部材１２９は中央にねじ穴１２９ａが形成されている。
本体１１０の下部１１０ａの長穴１３１に固定ねじ１３０の雄ねじ部１３０ａを挿入し、固定ねじ１３０の押圧部１３０ｂを本体１１０の下部１１０ａに当接しながら雄ねじ部１３０ａを押さえ板１２８のねじ穴１２９ａに螺合することにより、取付対象ＳＬに本体１１０に固定できる。固定ねじ１３０及び締結用部材１２９は長穴１３１の長さの範囲内で上下位置調整ができ、広幅の被取付物ＣＡを挟持できる。
【００６２】
押さえ板１２８の下部の位置決め用突起１３２を本体１１０の下部１１０ａの係合孔１３３に係合することにより、挟持時に本体１１０と押さえ板１２８の位置決めができる。
本体１１０は磁石５０収容部の略中央に三脚取付用の雌ねじ孔１１７を有し、この雌ねじ孔１１７の周囲に上下２個の板状の磁石５０及び板状バックヨーク８０を収容している。この２個の磁石５０は磁力線が表裏方向に磁化されていて、一方は表面磁極がＮ極であり、他方は表面磁極がＳ極になっている。
【００６３】
本体１１０は、第２実施形態と同様に、磁石５０収容部の下部に下ガイド部１１２ｂが形成され、この下ガイド部１１２ｂに貫通穴１１２ｃと穴壁部１１２ｄ（係合部）とが形成され、装着体２０の突起２１２（被係合部）とともに下側の規制機構７Ｄを構成する。
ガイド部材１１２は、左右一対の側ガイド部１１２ａが形成され、本体１１０に形成されている下ガイド部１１２ｂの左右両端と連続するように配置され、装着体２０を接合（矢印Ｃ方向）するときに左右方向位置を誘導する。下ガイド部１１２ｂは装着体２０を下向き移動（矢印Ａ方向）して接合するときに下位置を設定する。これらによって、基台１０に対して装着体２０の磁着位置を誘導する誘導機構６を構成している。
【００６４】
この本体１１０の上部は、前記第１、２、３実施形態と異なり、開口部の代わりに上向きのフック部３４０（係合部）が形成されており、装着体２０の方にフック部３４０が突入可能な開口部３５２と、この開口部３５２の上縁から下向き突出した係止部３５４（被係合部）とが形成され、基台１０の上部に上側の規制機構７Ｕと、この上側規制機構７Ｕを解除不能にするロック機構６００とが設けられている。
【００６５】
前記装着体２０は、装着本体２１０と、上下２個の磁石６０及びバックヨーク９０と、被取付物ＣＡを取り付ける取付具２３０と、この取付具２３０と上下２個の磁石６０とバックヨーク９０とを装着本体２１０に保持する保持板２８０とを有している。
装着本体２１０は内部に上下２個の磁石６０及びバックヨーク９０を配置し、保持板２８０で覆っており、この保持板２８０の表面が基台１０と接合する接合面２０ａとなっている。装着本体２１０の裏面は接合面２０ａと面一であり、装着体２０は裏面全体が平坦面になっている。
【００６６】
前記上下２個の磁石６０は、一方は表面磁極がＮ極であり、他方は表面磁極がＳ極になっており、基台１０の２個の磁石５０の表面磁極（接合面１０ａ側磁極）と反対になっている。従って、基台１０に対して装着体２０は上下適正姿勢でしか磁着しなく、誤装着が防止される。
取付具２３０は、ねじ頭状の回転操作部２３５と雄ねじ部２３３とを有しており、回転操作部２３５は保持板２８０に形成した開放孔２８０ａからコイン等のドライバを係合して回動操作可能であり、雄ねじ部２３３は、装着本体２１０を貫通して表面側に突出し、被取付物ＣＡのねじ穴に螺合可能になっており、被取付物ＣＡを装着体２０に取り付け可能に構成している。
【００６７】
前記装着本体２１０は、下端の突起２１２を基台１０の貫通穴１１２ｃに上側から挿入して、穴壁部１１２ｄによって基台１０から離隔する方向の移動が規制（下側規制機構７Ｄ）されている。
前記装着本体２１０は、上部の左右方向中央に表裏を貫通した開口部３５２が形成され、開口部３５２の上縁には下向き突出した係止部３５４と、開口部３５２の側縁から横向き突出したロック部３５５とが形成され、開口部３５２の下縁にはフック部３４０の挿入を容易にするための角取り面３５３が形成され、基台１０の上部に形成したフック部３４０とともに上側の規制機構７Ｕを構成している。フック部３４０の下面側にも挿入容易にするための傾斜面３４４が形成されている。
【００６８】
また、前記磁石５０、６０による誘導機構６は、基台１０に装着体２０を磁着するときに、突起２１２を貫通穴１１２ｃに挿入し、かつフック部３４０を開口部３５２に挿入して係止部３５４と係合させる誘導作用もする。
図１７〜２１において、本体１１０の上部に設けられたロック機構６００は、本体１１０の上部に形成されたガイド溝６０１と、このガイド溝６０１に案内されて左右移動可能な操作ノブ６０２及び作動体６０３と、作動体６０３を弾圧するスプリング６０４と、前記装着本体２１０の開口部３５２のロック部３５５とを有する。
【００６９】
作動体６０３は操作ノブ６０２に係合されていて一体移動自在であり、この作動体６０３には接合面１０ａ側に突出した階段突起６１０が形成され、この階段突起６１０の先端はフック部３４０の右端に対向しており、右端面に外上向きの傾斜当面６１０ａが形成されている。
装着本体２１０には開口部３５２の上縁とロック部３５５との間に切欠溝６１２が形成されており、この切欠溝６１２は開口部３５２にフック部３４０が入るときに前記階段突起６１０が侵入可能になっている。
【００７０】
前記ロック部３５５は接合面２０ａ側から装着本体２１０の厚さ方向に凹んだ階段凹部３５６が形成され、この階段凹部３５６の開口部３５２側の面は下から上にいくにしたがって装着本体２１０の中央側となる傾斜受面３５６ａが形成されている。
前記ロック部３５５の階段凹部３５６は開口部３５２をフック部３４０に嵌合するときに作動体６０３の階段突起６１０と係合可能であり、これらが係合しながら接合面１０ａ、２０ａが接合するように移動すると、階段突起６１０の傾斜当面６１０ａと階段凹部３５６の傾斜受面３５６ａとが当接し、作動体６０３がスプリング６０４に抗して押動され、階段突起６１０が切欠溝６１２に入る。
【００７１】
階段突起６１０が切欠溝６１２に入ると、階段突起６１０はロック部３５５の上縁と当接することになり、基台１０と装着体２０との相対上下移動は阻止され、フック部３４０と係止部３５４の係合が離脱解除不能となり、ロック作用状態になる。
前記第４実施形態の連結具４は、装着体２０の裏面がフック部等の突出部分のない平坦面であるので、カメラ等の被取付物ＣＡを取り付けた装着体２０を基台１０から取り外し、接合面２０ａを下にして机上に置くと、カメラを傾斜させることなく安定載置することができる。
【００７２】
なお、本発明は前記実施形態における各部材の形状及びそれぞれの前後・左右・上下の位置関係は、図１〜２１に示すように構成することが最良である。しかし、前記実施形態に限定されるものではなく、部材、構成を種々変形したり、組み合わせを変更したりすることもできる。
例えば、基台１０と装着体２０とはどちらか一方に永久磁石を設け、他方に吸着板を設けてもよく、基台１０及び装着体２０のどちらに設ける磁石も、板形状のものを１個又は小形状のものを複数個にしてもよい。
【００７３】
また、取付対象ＳＬと被取付物ＣＡとは、自動車のルーフとルーフラック又はルーフボックス、車両構成部材とパニアケース、スマートフォン又はカーナビゲーション、作業ベストと工具又は無線機等でもよい。
また、基台１０に被取付物ＣＡを取り付け、装着体２０を取付対象ＳＬに取り付けることも可能であり、装着体２０側にロック機構３３０を設けることもできる。
【００７４】
誘導機構６は磁石５０、６０の磁力のみで構成し、ガイド部材１１２を割愛してもよく、また、上下規制機構７Ｄ、７Ｕはどちらか一方を割愛してもよい。上側規制機構７Ｕを割愛する場合は、係止部３１１を削除し、フック部３２０の代わりに開口部３１０に入る突起を形成しておけば、ロック機構３３０を構成できる。
さらに、下規制機構７Ｄは、基台１０の接合面１０ａの下方に上向きの突起を設け、装着体２０の接合面２０ａの下方に前記突起を上側から係脱自在に係合する穴及び穴壁部を設けて構成してもよい。
【００７５】
また、基台１０の磁石５０用のバックヨーク８０及び装着体２０の磁石６０のバックヨーク９０は、例えば、磁石を吸着面と平行な方向に挟み込むように配置された一対のヨークや、磁石の吸着面と反対側の面と対向するとともに、磁石を吸着面と平行な方向に挟み込むように形成された断面コの字形のヨーク等を用いることができ、いずれか一方のみにしてもよい。
【符号の説明】
【００７６】
１、２、３、４        連結具
６      誘導機構
７      規制機構
１０    基台
１０ａ  接合面
１２    固定部材
２０    装着体
２０ａ  接合面
５０、６０    磁石
８０、９０    バックヨーク
１１０    本体
１２０    固定部材
２１０    装着本体
２３０    取付具
【図１】
2016035712.tif 000003
【図２】
2016035712.tif 000004
【図３】
2016035712.tif 000005
【図４】
2016035712.tif 000006
【図５】
2016035712.tif 000007
【図６】
2016035712.tif 000008
【図７】
2016035712.tif 000009
【図８】
2016035712.tif 000010
【図９】
2016035712.tif 000011
【図１０】
2016035712.tif 000012
【図１１】
2016035712.tif 000013
【図１２】
2016035712.tif 000014
【図１３】
2016035712.tif 000015
【図１４】
2016035712.tif 000016
【図１５】
2016035712.tif 000017
【図１６】
2016035712.tif 000018
【図１７】
2016035712.tif 000019
【図１８】
2016035712.tif 000020
【図１９】
2016035712.tif 000021
【図２０】
2016035712.tif 000022
【図２１】
2016035712.tif 000023
【国際調査報告】
2016035712.tif 000024
2016035712.tif 000025
2016035712.tif 000026
2016035712.tif 000027
2016035712.tif 000028
2016035712.tif 000029